(57)【要約】【課題】被写体が動体であっても、ファインダ内において測距エリア表示を見失いにくい表示装置を提供する。【解決手段】本発明の表示装置は、複数の測距エリアのうちの選択された測距エリアに合焦可能なカメラ（１００）におけるファインダ（５７）の視野（５７ａ）内に、該選択された測距エリアを表示する選択測距エリア表示（２００ａ）を被写体像に重ねて表示する測距エリア表示手段（７２，１１１）と、該測距エリア表示手段（７２，１１１）によって表示される前記選択測距エリア表示（２００ａ）の輝度を、被写体の移動速度に応じて変更する輝度調整手段（７４，１１１）と、を備える。【選択図】図５
2010044202.tif 000002
【特許請求の範囲】
【請求項１】
複数の測距エリアのうちの選択された測距エリアに合焦可能なカメラにおけるファインダの視野内に、該選択された測距エリアを表示する選択測距エリア表示を、被写体像に重ねて表示する測距エリア表示手段と、
該測距エリア表示手段によって表示される前記選択測距エリア表示の輝度を、被写体の移動速度に応じて変更する輝度調整手段と、を備えることを特徴とする表示装置。
【請求項２】
複数の測距エリアのうちの選択された測距エリアに合焦可能なカメラにおけるファインダの視野内に、該選択された測距エリアを表示する選択測距エリア表示を、被写体像に重ねて表示する測距エリア表示手段と、
該測距エリア表示手段によって表示される前記選択測距エリア表示の輝度を、前記カメラの移動速度に応じて変更する輝度調整手段と、を備えることを特徴とする表示装置。
【請求項３】
請求項２に記載の表示装置であって、
前記輝度調整手段は、前記選択測距エリア表示の輝度を、被写体の移動速度に応じて変更することを特徴とする表示装置。
【請求項４】
請求項１〜３のいずれか１項に記載の表示装置であって、
前記輝度調整手段は、前記選択測距エリア表示の輝度を、前記移動速度が閾値より小さい場合は第１の輝度とし、前記移動速度が閾値以上の場合は、前記第１の輝度よりも大きい第２の輝度にすることを特徴とする表示装置。
【請求項５】
請求項１〜４のいずれか１項に記載の表示装置であって、
前記移動速度は、前記カメラに加わる角速度を測定する角速度センサにより検出された角速度成分を含むことを特徴とする表示装置。
【請求項６】
請求項５に記載の表示装置であって、
前記角速度センサが、撮影時の手ブレによる像ブレを補正するブレ補正機構に含まれることを特徴とする表示装置。
【請求項７】
請求項１〜６のいずれか１項に記載の表示装置であって、
前記移動速度は、前記カメラの傾斜を測定する傾斜センサにより検出された傾斜角度を単位時間で割った角速度成分を含むことを特徴とする表示装置。
【請求項８】
請求項１〜７のいずれか１項に記載の表示装置を備えたカメラ。
【発明の詳細な説明】
【技術分野】
【０００１】
本発明は、選択された測距エリアを被写体像に重ねて表示することが可能な表示装置及びそれを備えるカメラに関する。
【背景技術】
【０００２】
従来、複数の測距エリアのうちの選択された測距エリアに合焦可能なカメラが存在する。そのようなカメラにおいては、ファインダ視野内に選択された測距エリアの位置を示す測距エリア表示を被写体像に重ねて表示するスーパーインポーズ方式が提案されている（例えば、特許文献１参照）。このスーパーインポーズ方式では、測距エリア表示と重なる被写体像の明るさの影響で測距エリア表示が見えなくなることを防止するために、ファインダ視野内の領域を複数に分割し、選択された測距エリア表示を含む領域内の被写体輝度を検出し、その被写体輝度に応じて測距エリア表示の表示輝度を制御している。
【特許文献１】特開平３−６５９３９号公報
【発明の開示】
【発明が解決しようとする課題】
【０００３】
しかし、スポーツ写真、車、電車や飛行機の写真のような被写体が動体の場合において被写体の動きが速くなると、撮影者の注意は被写体が静止している場合よりも被写体に集中する。この場合、上記従来技術のように背景輝度に応じて測距エリア表示の明るさが制御されていても、測距エリア表示を見失う場合がある。
【０００４】
本発明の課題は、被写体が動体であっても、ファインダ内において測距エリア表示を見失いにくい表示装置を提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、複数の測距エリアのうちの選択された測距エリアに合焦可能なカメラ（１００）におけるファインダ（５７）の視野（５７ａ）内に、該選択された測距エリアを表示する選択測距エリア表示（２００ａ）を被写体像に重ねて表示する測距エリア表示手段（７２，１１１）と、該測距エリア表示手段（７２，１１１）によって表示される前記選択測距エリア表示（２００ａ）の輝度を、被写体の移動速度に応じて変更する輝度調整手段（７４，１１１）と、を備えることを特徴とする表示装置（１）である。
請求項２に記載の発明は、複数の測距エリアのうちの選択された測距エリアに合焦可能なカメラ（１００）におけるファインダ（５７）の視野（５７ａ）内に、該選択された測距エリアを表示する選択測距エリア表示（２００ａ）を被写体像に重ねて表示する測距エリア表示手段（７２，１１１）と、該測距エリア表示手段（７２，１１１）によって表示される前記選択測距エリア表示（２００ａ）の輝度を、前記カメラ（１００）の移動速度に応じて変更する輝度調整手段（７４，１１１）と、を備えることを特徴とする表示装置（１）である。
請求項３に記載の発明は、請求項２に記載の表示装置（１）であって、前記輝度調整手段（７４，１１１）は、測距エリア表示の輝度を、被写体の移動速度に応じて変更することを特徴とする表示装置（１）である。
請求項４に記載の発明は、請求項１〜３のいずれか１項に記載の表示装置（１）であって、前記輝度調整手段（７４，１１１）は、前記選択測距エリア表示（２００ａ）の輝度を、前記移動速度が閾値より小さい場合は第１の輝度とし、前記移動速度が閾値以上の場合は、前記第１の輝度よりも大きい第２の輝度にすることを特徴とする表示装置（１）である。
請求項５に記載の発明は、請求項１〜４のいずれか１項に記載の表示装置（１）であって、前記移動速度は、前記カメラ（１００）に加わる角速度を測定する角速度センサ（１４，３６）により検出された角速度成分を含むことを特徴とする表示装置（１）である。
請求項６に記載の発明は、請求項５に記載の表示装置（１）であって、前記角速度センサ（１４）が、撮影時の手ブレによる像ブレを補正するブレ補正機構（１３）に含まれることを特徴とする表示装置（１）である。
請求項７に記載の発明は、請求項１〜６のいずれか１項に記載の表示装置（１）であって、前記移動速度は、前記カメラ（１００）の傾斜を測定する傾斜センサ（３６）により検出された傾斜角度を単位時間で割った角速度成分を含むことを特徴とする表示装置（１）である。
請求項８に記載の発明は、請求項１〜７のいずれか１項に記載の表示装置（１）を備えたカメラ（１００）である。
【０００７】
なお、符号を付して説明した構成は、適宜改良してもよく、また、少なくとも一部を他の構成物に代替してもよい。
【発明の効果】
【０００８】
本発明によれば、連写撮影時において、ファインダ内における測距エリア表示を見やすくすることができる。
【発明を実施するための最良の形態】
【０００９】
以下、図面等を参照して、本発明の一実施形態について説明する。図１は一実施形態の表示装置１を含むカメラ１００の概略図である。なお、図１においては、説明と理解を容易にするために、ＸＹＺ直交座標系を設けた。この座標系では、撮影者が光軸Ｌを水平として横長の画像を撮影する場合のカメラ１００の位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１０】
本実施形態のカメラ１００は、レンズ交換式のデジタルカメラであり、光軸Ｌに沿って、撮影レンズ１０、ミラー部２０、撮像部３０を備える。さらに、撮影レンズ１０に入射した光のうちの、ミラー部２０によって図中下方に向けられた光が入射する焦点検出部４０と、ミラー部２０によって図中上方に向けられた光が入射するファインダ部５０と、を備える。
【００１１】
撮影レンズ１０は、カメラ本体１００ａに対して交換可能なレンズである。撮影レンズ１０内には、複数のレンズ群１１、光の量を調整する絞り１２、及び手振れ補正装置１３が内蔵されている。手振れ補正装置１３は角速度センサ１４を備え、角速度センサ１４により手振れにより生じた撮影レンズ１０の角速度を検出し、その角速度に基づいてレンズ群１１の中のブレ補正レンズを移動させ、手振れにより生じる像ブレを補正する装置である。
【００１２】
ミラー部２０は、撮影レンズ１０の射光側に配置され、メインミラー２１及びサブミラー２２を備える。メインミラー２１は、撮影レンズ１０を通過した光をファインダ部５０に向けて反射する。メインミラー２１は、その一部がハーフミラーとなっており、光の一部を透過させる。また、メインミラー２１は、撮影時にレリーズボタン（図示せず）が押されると、反射面が光軸Ｌに対して略平行となるミラーアップ位置に退避する。サブミラー２２は、メインミラー２１のハーフミラー部分を透過した光の進路を屈曲させて焦点検出部４０に反射させる。
【００１３】
撮像部３０は、シャッター３１、ＬＰＦ（Ｌｏｗ−Ｐａｓｓ  Ｆｉｌｔｅｒ）３２及び撮像素子３３を備える。シャッター３１は、後述するＭＣＵ１０１からの信号によりシャッタースピードが制御される。撮像素子３３は、撮影レンズ１０が結像した像を電気信号に変換するＣＣＤやＣＭＯＳ等である。
【００１４】
また、撮像素子３３の後部には基板３４が配置されている。基板３４には、カメラ１００の全体制御を行うＭＣＵ１０１及び後述する各種回路が配置されている。基板３４には、さらに傾斜センサ３６が実装されている。傾斜センサ３６は、カメラ本体１００ａの傾斜を測定するセンサであり、測定された傾斜角は、カメラ１００本体の撮影者側背面に配置された背面液晶モニタ３５に表示される。これにより撮影者は、背面液晶モニタ３５の表示を観察しながらカメラ１００を水平に維持することが可能となる。
【００１５】
焦点検出部４０には、焦点検出用センサ４１が配置され、メインミラー２１から分岐された光は、サブミラー２２によって反射されて焦点検出用センサ４１に入射される。焦点検出用センサ４１の前方にはモータ及び連結ギア、カップリングで構成されるレンズ駆動装置４２が配置されている。
【００１６】
ファインダ部５０は、フォーカシングスクリーン５１、拡散型液晶５２、ペンタプリズム５３、第１ダイクロイックプリズム５４、第２ダイクロイックプリズム５５及び接眼レンズ５６を備える。
【００１７】
撮影レンズ１０を通過した被写体光は、メインミラー２１によって図１のＹプラス方向に反射され、フォーカシングスクリーン５１上に一旦結像される。フォーカシングスクリーン５１上で結像された被写体光は、高速撮影時のクロップを行うための拡散型液晶５２を透過し、ペンタプリズム５３、及びペンタプリズム５３に接着された第１ダイクロイックプリズム５４及び該第１ダイクロイックプリズム５４に接着された第２ダイクロイックプリズム５５を通り、さらに複数のレンズより構成される接眼レンズ５６を経てファインダ５７に導かれる。
【００１８】
第１ダイクロイックプリズム５４の射出面上部には被写体光の輝度を測定するための公知のプリズム６０、測光レンズ６１、及び測光センサ６２が配置されており、測光センサ６２はフレキシブルプリント基板（図示せず）により基板３４に設けられた後述する測光回路１１２に接続されている。測光センサ６２は、撮影画面を分割されたブロックごとに測光可能となっている。
【００１９】
第１ダイクロイックプリズム５４の上部（Ｙプラス側）には投影レンズ７０、方向を変えるための折り返しミラー７１、後述する測距エリア表示２００が形成された透過型液晶７２、照明レンズ７３、及び透過型液晶７２の光源であるＬＥＤ７４が配置されている。透過型液晶７２は電気シャッターの機能も有しており、後述する５１個の測距エリア表示２００の中から、選択された選択測距エリア表示２００ａのみ、ＬＥＤ７４からの光を透過させ、その光は投影レンズ７０で拡大され、第１ダイクロイックプリズム５４に入射する。
【００２０】
ペンタプリズム５３の下部には、ファインダ内表示液晶８０及びファインダバックライト８１が配置されている。ファインダ内表示液晶８０はファインダ５７内における後述するファインダ視野５７ａの下部に、撮影に関する露出制御値、露出モード、露出補正値等のさまざまな情報を表示する。ファインダバックライト８１は、ファインダ内表示液晶８０を照明するためのものである。
【００２１】
図２は本発明のカメラ１００のシステム構成を示すブロック図である。ＭＣＵ１０１は、カメラ１００の全体的な制御を行うものであり、以下に述べる各種制御回路が接続されている。
【００２２】
Ａ／Ｄ変換回路１０３は、撮影レンズ１０より入射して撮像素子３３から出力された電気信号をＡ／Ｄ変換する。タイミング回路１０４は、撮像素子３３及びＡ／Ｄ変換回路１０３を所定の動作タイミングで駆動する。画像処理制御回路１０５は、Ａ／Ｄ変換回路１０３から出力された画像データに対して各種画像補正及び各色の画像データに対して補間処理を行う。ＳＤＲＡＭ１０６は、この補間処理されたデータを一時的に記憶するメモリである。画像用記録媒体１０７は、インターフェース（図示せず）を介して画像処理制御回路１０５に接続されており、撮影データと画像データとを記録する。背面液晶モニタ制御回路１０８は、背面液晶モニタ３５を制御する。
【００２３】
クロップ表示回路１０９は、拡散型液晶５２を制御する回路である。露出制御回路１１３は、測光回路１１２から得られた被写体の輝度及び撮像感度からシャッタースピードと撮影レンズ１０の絞り値を演算してシャッター制御部１１４と絞り制御部１１５を制御する。シャッター制御部１１４は、シャッター３１を制御し、また絞り制御部１１５は撮影レンズ１０の絞り１２を制御する。レンズ情報入力部１１６は、装着された撮影レンズ１０から開放絞り値、焦点距離、射出瞳等の情報をカメラ本体１００ａへ通信する。
【００２４】
焦点検出回路１１７は、図１のカメラ１００の底部にあるオートフォーカスのための焦点検出用センサ４１から得られた出力をＡ／Ｄ変換してＭＣＵ１０１に出力する。レンズ駆動回路１１８は、レンズ情報入力部１１６と焦点検出回路１１７により得られえた制御結果を基に撮影レンズ１０を駆動してオートフォーカスさせるための回路である。モード設定回路１１９は、露出、オートフォーカス、画像等のさまざまなモードを設定する。設定操作部材１２０は、カメラ１００に対する設定操作を行うスイッチであり、設定操作に応じた操作信号をＭＣＵ１０１へ出力する。ＳＷ１は、レリーズボタンの第１ストロークに連動する半押しスイッチであり、ＳＷ２は、レリーズボタンの第２ストロークに連動する全押しスイッチである。
【００２５】
傾斜センサ３６は、図１の座標軸に示すように、正位置を基準として、ＸＹＺ軸を中心として時計方向に回転した場合を正方向としたカメラ本体１００ａの所定時間（例えば１０ｍｓ）の回転角度をθｘ，θｙ，θｚを検出する。傾斜センサ３６は、この測定した回転角度の値をＭＣＵ１０１に出力する。ＭＣＵ１０１は、カメラ１００の合成傾斜角度θを計算する。ここで、Ｚ軸方向の角度は、ファインダ内の被写体像の移動には直接寄与しないため、合成傾斜角度θは、Ｚ軸以外の２軸の回転角度θｘ，θｙを使用して以下のように算出される。
θ＝√｛（θｘ）2＋（θｙ）2｝                    （１）
この合成傾斜角度θよりカメラ１００の移動角速度ωｃａｍは以下のように算出される。
ωｃａｍ＝θ/ｔｓａｍｐ                              （２）
【００２６】
手振れ検出回路１２１は、角速度センサ１４の出力により撮影レンズ１０に手振れが生じているかを検出するための回路である。手振れ補正検出回路１２１は角速度センサ１４により検出された角速度ωｘ、ωｙをＭＣＵ１０１に出力する。ＭＣＵ１０１は、Ｚ軸以外の２軸の角速度ωｘ，ωｙを用い、撮影レンズ１０の移動角速度ωＶＲを以下のように算出する。
ωＶＲ＝√｛（ωｘ）2＋（ωｙ）2｝                    （３）
【００２７】
図３はファインダ５７内の画像を示した図である。図示するように、ファインダ５７内には、被写体像を写すファインダ視野５７ａとその外周部に設けられた撮影に関する露出制御値、露出モード、露出補正値等のさまざまな情報を表示するためのファインダ内表示部５７ｂとが設けられている。図２のファインダ内表示制御回路１１０は、ファインダ内表示部５７ｂにこれらの情報を表示するファインダ内表示液晶８０とファインダバックライト８１を制御する回路である。
【００２８】
また、本実施形態でカメラ１００は、５１個の測距エリアを有している。図４はファインダ視野５７ａ内に５１個の全測距エリア表示２００を示した図である。なお、図４においては、５１個の測距エリア表示２００を全て示すが、ファインダ視野５７ａ内において実際に全ての測距エリア表示２００が点灯することはなく、選択された測距エリアを表示する選択測距エリア表示２００ａのみが図３に示すように点灯する。なお、選択測距エリア表示２００ａは、レリーズボタン（図示せず）を押したときに一瞬点灯するのではなく、一旦選択されると、変更されるまでその位置で点灯し続ける。また、選択測距エリア表示２００ａは、被写体がその選択測距エリア表示２００ａから外れると、自動的に撮影者が捕らえた被写体を追尾して移動する。そして、この移動量はＭＣＵ１０１に出力される。
【００２９】
図２に戻り、スーパーインポーズ表示制御回路１１１は、選択測距エリア表示２００ａをファインダ視野５７ａにおいて被写体像と重ねて（スーパーインポーズ）表示する際の制御を行う回路である。スーパーインポーズ表示制御回路１１１はファインダ視野５７ａ内に選択測距エリア表示２００ａを表示する上述の透過型液晶７２を制御して選択測距エリア表示２００ａを移動させ、また、上述のカメラ１００の移動角速度ωｃａｍ、撮影レンズ１０の移動角速度ωＶＲ、選択測距エリア表示２００ａの移動量を基に、ＬＥＤ７４の輝度を変更して選択測距エリア表示２００ａのＥＶ値を、ＬＥＤ７４を流れる電流のデューティー比を調整することにより補正する。
【００３０】
この、スーパーインポーズ表示制御回路１１１による選択測距エリア表示２００ａのＥＶ値の制御についてさらに詳細に説明する。まず、スーパーインポーズ表示制御回路１１１は、選択測距エリア表示２００ａのＥＶ値の初期値を、測光センサ６２によって測定された選択測距エリア表示２００ａと重なる領域の被写体像の輝度情報をもとに算出した最適なＥＶ値であるＥＶ０に設定する。
【００３１】
次に、カメラ１００の移動角速度ωｃａｍ、撮影レンズ１０の移動角速度ωＶＲ、選択測距エリア表示２００ａの移動量を基に選択測距エリア表示２００ａのＥＶ値を以下の表１に示すように補正する。
【表１】
2010044202.tif 000003
表１において、Ｔｈθはカメラ１００の合成傾斜角度θの閾値、Ｔｈｃａｍはωｃａｍの閾値、ＴｈＶＲはωＶＲの閾値である。また、ＥＶｃｏｒは補正後の選択測距エリア表示２００ａのＥＶ値、ＥＶ０は補正前の選択測距エリア表示２００ａのＥＶ値、ΔＥＶは選択測距エリア表示２００ａの補正量であり、ΔＥＶｐｕｒ＞ΔＥＶｍｏｖｅである。
【００３２】
図５は表１の補正を達成するためのスーパーインポーズ表示制御回路１１１における補正量決定処理を示すフローチャートである。
上述のように、選択測距エリア表示２００ａは、被写体が外れると自動的に撮影者が捕らえた被写体を追尾して移動し、その移動はＭＣＵ１０１に出力される。まず、スーパーインポーズ表示制御回路１１１は、ＭＣＵ１０１からの信号により、選択測距エリア表示２００ａがファインダ内で移動したかどうかを判断する（Ｓ２０１）。
選択測距エリア表示２００ａが移動している場合（Ｓ２０１，Ｙｅｓ）、式（１）で計算したカメラ１００の合成傾斜角度θが所定の閾値Ｔｈθ以上かどうかを判断する（Ｓ２０２）。
カメラ１００の合成傾斜角度θが所定の閾値Ｔｈθ以上の場合（Ｓ２０２，Ｙｅｓ）、式（２）で計算したωｃａｍが閾値Ｔｈｃａｍ以上かどうかを判断する（Ｓ２０３）。
ωｃａｍが閾値Ｔｈｃａｍ以上の場合（Ｓ２０３，Ｙｅｓ）、選択測距エリア表示２００ａのＥＶ値をＥＶ０より明るくする補正を行う（Ｓ２０４）。このときの補正値はΔＥＶｐｕｒである。この補正により、選択測距エリア表示２００ａは被写体が移動していない通常の場合よりも明るくなり、被写体が移動していても選択測距エリア表示２００ａを見失いにくくなる。
【００３３】
また、Ｓ２０３において、ωｃａｍが閾値Ｔｈｃａｍより小さい場合（Ｓ２０３，Ｎｏ）、式（３）で計算したωＶＲが閾値ＴｈＶＲ以上かどうか判断する（Ｓ２０５）。
ωＶＲが閾値ＴｈＶＲ以上の場合（Ｓ２０５，Ｙｅｓ）、ΔＥＶｐｕｒだけ補正を行う（Ｓ２０４）。この場合も、選択測距エリア表示２００ａは被写体が移動していない通常の場合よりも明るくなり、被写体が移動していても選択測距エリア表示２００ａを見失いにくくなる。
【００３４】
カメラ１００の合成傾斜角度θが所定の閾値Ｔｈθより小さい場合（Ｓ２０２，Ｎｏ）、ΔＥＶｍｏｖｅだけ補正を行う（Ｓ２０６）。
また、Ｓ２０２において、カメラ１００の合成傾斜角度θが所定の閾値Ｔｈθより小さい場合（Ｓ２０２，Ｎｏ）も、ΔＥＶｍｏｖｅだけ補正を行う（Ｓ２０６）。
更に、Ｓ２０５においてωＶＲが閾値ＴｈＶＲより小さい場合（Ｓ２０５，Ｎｏ）もΔＥＶｍｏｖｅだけ補正を行う（Ｓ２０６）。
これらの場合も、選択測距エリア表示２００ａは被写体が移動していない通常の場合よりも明るくなり、被写体が移動していても選択測距エリア表示２００ａを見失いにくくなる。なお、ここで、ΔＥＶｍｏｖｅは、ΔＥＶｐｕｒより小さい値である。これは、この場合、カメラ１００は移動しているがその移動量である合成傾斜角度θが所定の閾値Ｔｈθより小さいため、補正量をθが閾値Ｔｈθ以上の場合のΔＥＶｐｕｒより小さいΔＥＶｍｏｖｅにしても選択測距エリア表示２００ａを見失わないと考えられるからでる。このように必要量だけ明るくすることで、選択測距エリア表示２００ａが明るすぎることによる不快感を低減させ、また、消費電力を低減することができる、
【００３５】
Ｓ２０１で、選択測距エリア表示２００ａが移動していない場合（Ｓ２０１，Ｎｏ）、カメラ１００の合成傾斜角度θが所定の閾値Ｔｈθ以上かどうか判断する（Ｓ２０７）。
カメラ１００の合成傾斜角度θが所定の閾値Ｔｈθ以上の場合（Ｓ２０７，Ｙｅｓ）、ωｃａｍが閾値Ｔｈｃａｍ以上かどうかを判断する（Ｓ２０８）。
ωｃａｍが閾値Ｔｈｃａｍ以上の場合（Ｓ２０８，Ｙｅｓ）、補正を行う（Ｓ２０６）。このときの補正値はΔＥＶｍｏｖｅである。この場合も、選択測距エリア表示２００ａは被写体が移動していない通常の場合よりも明るくなり、被写体が移動していても選択測距エリア表示２００ａを見失いにくくなる。
【００３６】
Ｓ２０８でωｃａｍが閾値Ｔｈｃａｍより小さい場合（Ｓ２０８，Ｎｏ）、ωＶＲが閾値ＴｈＶＲ以上かどうか判断する（Ｓ２０９）。
ωＶＲが閾値ＴｈＶＲ以上の場合（Ｓ２０９，Ｙｅｓ）、ΔＥＶｍｏｖｅだけ補正を行う（Ｓ２０６）。これにより、選択測距エリア表示２００ａは被写体が移動していない通常の場合よりも明るくなり、被写体が移動していても選択測距エリア表示２００ａを見失いにくい。
【００３７】
カメラ１００の合成傾斜角度θが所定の閾値Ｔｈθより小さい場合（Ｓ２０７，Ｎｏ）又はωＶＲが閾値ＴｈｃａｍおよびＴｈＶＲよりも小さい場合（Ｓ２０９，Ｎｏ）、被写体の移動量は選択測距エリア表示２００ａを見失うほどではないと考えられるため補正は行わない（Ｓ２１０）。
【００３８】
以上、本実施形態によると、以下の効果を有する。
（１）被写体の移動によりカメラ１００や撮影レンズ１０を移動させる場合、選択測距エリア表示２００ａは被写体が静止している場合よりも見にくい。しかし、本実施形態によると、カメラ１００や撮影レンズ１０が移動している場合は、選択測距エリア表示２００ａを明るく表示する。したがって選択測距エリア表示２００ａを見失いにくい。
（２）カメラ１００や撮影レンズ１０の移動に加え、さらに選択測距エリア表示２００ａがファインダ視野５７ａ内で移動している場合は、選択測距エリア表示２００ａがより見にくい。しかし、本実施形態によると、選択測距エリア表示２００ａが移動しているかどうかを判断し、移動している場合は、移動していない場合よりも全体的に補正量を大きくしている。このため、選択測距エリア表示２００ａが移動している場合、選択測距エリア表示２００ａを見失いにくい。
（３）速度だけでなく、カメラの移動量θによっても、選択測距エリア表示２００ａを見失う可能性が異なる。このため、まず、θを閾値Ｔｈθにより場合分けし、θが大きい場合には、より補正量を大きくしているので、選択測距エリア表示２００ａをより見失いにくい。
（４）カメラの移動速度ωｃａｍ、及びレンズ鏡筒の移動速度ωＶＲにそれぞれ閾値を設け、それらの閾値以上の場合に補正量を大きくすることで、選択測距エリア表示２００ａをより見失いにくい。
【００３９】
（変形形態）
以上、説明した実施形態に限定されることなく、種々の変形や変更が可能であって、それらも本発明の範囲内である。
（１）本実施形態では選択測距エリア表示２００ａの移動の有無、カメラ１００の移動、撮影レンズ１０の移動の全てを考慮して補正量を決定した。しかし、本発明はこれに限定されない。選択測距エリア表示２００ａのファインダ視野５７ａ内の移動の有無のみ検出し、その結果により補正を行うか否かを決定してもよい。また、カメラ１００の移動の有無のみ検出し、その結果により補正を行うか否かを決定してもよい。撮影レンズ１０の移動有無のみ検出し、その結果により補正を行うか否かを決定してもよい。さらには、これらのうちの２つの組み合わせであってもよい。
【００４０】
（２）本実施形態では、被写体が動体であることを判断する手段として、手振れ補正装置１３の角速度センサ１４及びカメラ１００に内蔵された傾斜センサ３６を用いた。しかし本発明はこれに限定されず、他の手段により被写体が動体か否かを判断してもよい。例えば、別途加速度センサ等をカメラ１００に設けてもよい。また、例えば、３Ｄトラッキング、ダイナミックＡＦ、顔認識センサ等に設けられた合焦エリアの移動を検出するものであってもよい。さらに、レリーズによりフォーカスを固定するモードではなく、被写体を追う間、合焦し続けるモードが選定された場合に、補正するようにしてもよい。
【００４１】
（３）本実施形態では、ＥＶ値をベースに補正量を決めているが、処理結果が同じになることが明確になっていれば、別の値（例えばＢＶ値）を使用してもよい。
【００４２】
（４）本実施形態では、測距エリアの画面上での移動、及びカメラやレンズ鏡筒の移動量に応じて補正量をΔＥＶｐｕｒ、ΔＥＶｍｏｖｅ、０の３段階としたが、これに限定されず、これ以上であってもよく、また補正をする、しないの２段階であってもよい。
なお、実施形態及び変形形態は、適宜組み合わせて用いることもできるが、詳細な説明は省略する。また、本発明は以上説明した各実施形態によって限定されることはない。
【図面の簡単な説明】
【００４３】
【図１】本発明の第１実施形態の表示装置を含むカメラの概略図である。
【図２】本発明のカメラのシステム構成を示すブロック図である。
【図３】ファインダ内の画面を示した図である。
【図４】ファインダ視野内に全測距エリア表示を示した図である。
【図５】カメラの動作を示すフローチャートである。
【符号の説明】
【００４４】
５７：ファインダ、５７ａ：ファインダ視野、７２：透過型液晶、７４：ＬＥＤ、１００：カメラ、１１１：スーパーインポーズ表示制御回路、２００：測距エリア表示、２００ａ：選択測距エリア表示
【図１】
2010044202.tif 000004
【図２】
2010044202.tif 000005
【図３】
2010044202.tif 000006
【図４】
2010044202.tif 000007
【図５】
2010044202.tif 000008